(57)【特許請求の範囲】
【請求項１】
管理運用管轄が異なっていた複数の公共施設の監視対象の状態情報をネットワークを介して共通のWeb端末の監視画面に表示する公共施設の遠隔監視システムであって、
対応監視対象の状態情報を収集して記憶する複数個のWebコンントローラと、
前記各監視対象における監視対象要素とそのアドレスとの対応関係と前記監視対象要素のアドレスと自己のアドレスとの対応関係とをアドレスマッピング情報テーブルとして変更可能に記憶し、前記ネットワークを介して前記複数個のWebコンントローラの各々に記憶された前記各監視対象における前記監視対象要素の状態情報を収集して前記アドレスマッピング情報テーブルにより自己の所定アドレス領域に記憶するWebサーバ装置と、
を備え、
前記Webコントローラは、IO機能と記憶装置とデータ送信機能とを有し、個別に管理運用していた前記公共施設に設置された前記監視対象からその監視対象要素の状態情報を前記IO機能で収集して前記記憶装置に記憶し、
前記Webサーバ装置は、データ収集機能と記憶装置とデータサーバ機能とを有し、前記データ収集機能により前記Webコントローラの各々から当該Webコントローラの前記データ送信機能を介して前記監視対象要素に関連する前記状態情報を収集して前記記憶装置に保存し、この記憶装置に保存してある前記各Webコントローラからの収集データを前記データサーバ機能により統合集約して複数の公共施設の各監視対象を共通の単一画面で統合監視するための画面および画面表示情報を前記Web端末に提供し、
前記Web端末は、通信機能と監視画面とを有し、その前記通信機能により前記ネットワークを介して前記Webサーバ装置にアクセスし、前記Webサーバ装置が提供する前記画面および画面表示情報を前記Webサーバ装置の前記データサーバ機能か得てその監視画面上に、複数の公共施設の各監視対象の統合監視に必要な情報を表示する
公共施設の遠隔監視システム。
【請求項２】
管理運用管轄が異なる複数の公共施設の監視対象の状態情報をネットワークを介して共通のWeb端末の監視画面に表示する公共施設の遠隔監視システムであって、
対応監視対象の状態情報を収集して記憶する複数個のWebコンントローラと、
前記各監視対象における監視対象要素とそのアドレスとの対応関係と前記監視対象要素のアドレスと自己のアドレスとの対応関係とをアドレスマッピング情報テーブルとして変更可能に記憶し、前記ネットワークを介して前記複数個のWebコンントローラの各々に記憶された前記各監視対象における前記監視対象要素の状態情報を収集して前記アドレスマッピング情報テーブルにより自己の所定アドレス領域に記憶するWebサーバ装置と、
を備え、
前記Webコントローラは、IO機能と記憶装置とデータ送信機能とを有し、個別に管理運用する前記公共施設に設置された前記監視対象からその監視対象要素の状態情報を前記IO機能で収集して前記記憶装置に記憶し、
前記Webサーバ装置は、データ収集機能と記憶装置とデータサーバ機能とを有し、前記データ収集機能により前記Webコントローラの各々から当該Webコントローラの前記データ送信機能を介して前記監視対象要素に関連する前記状態情報を収集して前記記憶装置に保存し、この記憶装置に保存してある前記各Webコントローラからの収集データを前記データサーバ機能により統合集約して複数の公共施設の各監視対象を共通の単一画面で統合監視するための画面および画面表示情報を前記Web端末に提供し、
前記Web端末は、通信機能と監視画面とを有し、その前記通信機能により前記ネットワークを介して前記Webサーバ装置にアクセスし、前記Webサーバ装置が提供する前記画面および画面表示情報を前記Webサーバ装置の前記データサーバ機能か得てその監視画面上に、複数の公共施設の各監視対象の統合監視に必要な情報を表示する
公共施設の遠隔監視システム。
【請求項３】
請求項１または請求項２に記載の公共施設の遠隔監視システムにおいて、前記Web端末からの要求を受け、前記各Webコントローラが、当該各Webコントローラを再起動させるリセット機能を備えていることを特徴とする公共施設の遠隔監視システム。
【請求項４】
請求項１または請求項２に記載の公共施設の遠隔監視システムにおいて、前記Webコントローラの状態を監視し、異常が発生した場合に、前記リセット機能を利用して自動的に前記Webコントローラを再起動することを特徴とする公共施設の遠隔監視システム。
【請求項５】
請求項１〜４の何れか一に記載の公共施設の遠隔監視システムにおいて、前記監視対象の前記監視対象要素の異常および前記Webコントローラ自身の異常の少なくとも一を検出した場合に、メールにて異常情報を発信することを特徴とする公共施設の遠隔監視システム。
【請求項６】
請求項１〜４の何れか一に記載の公共施設の遠隔監視システムにおいて、前記Webコントローラの接続時に正当なユーザかどうかを判断する認証機能を備えていることを特徴とする公共施設の遠隔監視システム。
【請求項７】
請求項１〜５の何れか一に記載の公共施設の遠隔監視システムにおいて、前記Webコントローラのエンジニアリング情報を記録した設定ファイルと、ネットワーク経由で前記設定ファイル更新するファイル更新機能を備えていることを特徴とする公共施設の遠隔監視システム。
【発明の詳細な説明】
【技術分野】
【０００１】
この発明は、河川監視システム、下水監視システム等、自治体等が広域ネットワークを利用して監視業務を行う遠隔監視システムに関するものである。
【背景技術】
【０００２】
従来の広域ネットワークを利用した遠隔監視システムでは、遠隔地にある施設にWebサーバの機能を持った装置を設け、当該装置に該施設における監視対象の設備の情報をデータとして入力してホームページ等を作成し、遠隔地にある監視端末から広域ネットワークを介して前記ホームページ等にアクセスすることにより遠隔監視をおこなうものがある。
【０００３】
その一例として、例えば特開２０００−２７６６７８号公報（特許文献１）に見られるようなビル群管理システムは、監視対象である複数のビルに対し、遠隔地に設けられてこれらの複数のビルを監視するための群管理装置となる群管理用パソコンと、監視対象となるビル設備からデータを享受するビル監視盤としてのビル管理装置と、ビル管理装置からデータを入力してホームページを作成すると共に広域ネットワークを介して前記群管理用パソコンに接続されるWebサーバ付きパソコンとで構成されている。
【０００４】
【特許文献１】特開２０００−２７６６７８号公報（図１及びその説明）
【発明の開示】
【発明が解決しようとする課題】
【０００５】
従来の広域ネットワークを利用した遠隔監視システムは以上のように構成されており、このような遠隔監視システムを、自治体等が管理運用する河川や下水の管理運用施設などの遠方監視に適用した場合、例えば図１のようなシステム構成になる。
【０００６】
図１は、例えば自治体Ａから自治体Ｂへと流れる河川５の管理運用を、自治体Ａの管轄範囲については自治体Ａが遠隔監視し、自治体Ｂの管轄範囲については自治体Ｂが遠隔監視する場合の事例である。
【０００７】
図１において、自治体Ａは、河川５の自己の管理運用管轄である管理運用公共施設の監視対象Ａ4AをWebコントローラＡ3Aおよび広域ネットワーク２を介してWeb端末Ａ1Aにより監視し、自治体Ｂは、前記河川５の自己の管理運用管轄である管理運用公共施設の監視対象Ｂ4BをWebコントローラＢ3Bおよび広域ネットワーク２を介してWeb端末Ｂ1Bにより監視する。
【０００８】
自治体Ａの監視システムでは、前記WebコントローラＡ3Aのコントローラ３２Ａが監視対象Ａの監視対象要素（管理運用公共施設における水位計、ポンプ、弁、雨量計、温度計等の設備や備品等）から収集した監視対象Ａの監視対象要素の情報（設備や備品の種別などの固定情報や、水位やポンプ運転状況などの変動情報）からWebコントローラＡ3A上に作成された監視用のホームページに、Web端末Ａ1Aから、広域ネットワーク２を介して、WebコントローラＡ3AのWebサーバ31Aにアクセスし、WebコントローラＡ3A上の監視用のホームページを監視画面１１Ａ上に表示する。
【０００９】
同様に、自治体Ｂの監視システムでは、前記WebコントローラＢ3Bのコントローラ32Bが監視対象Ｂの監視対象要素（管理運用公共施設における水位計、ポンプ、弁、雨量計、温度計等の設備や備品等）から収集した監視対象Ｂの監視対象要素の情報（設備や備品の種別などの固定情報や、水位やポンプ運転状況などの変動情報）からWebコントローラＢ3B上に作成された監視用のホームページに、Web端末Ｂ1Bから、広域ネットワーク２を介して、WebコントローラＢ3BのWebサーバ31Bにアクセスし、WebコントローラＢ3B上の監視用のホームページを監視画面１１Ｂ上に表示する。
【００１０】
ここで、自治体Ａ，Ｂが合併して自治体ＡＢとなった場合、合併前に自治体Ａ，Ｂが個別に管理運用していた管理運用公共施設の監視対象Ａ，Ｂを個別に監視せずに統合監視することが考えられる。
【００１１】
管理運用公共施設の監視対象Ａ，Ｂを統合監視するとなれば、管理運用公共施設の監視対象Ａ，Ｂの監視画面を同時に見る必要が生じる。
【００１２】
監視画面を前述のように監視用のホームページにアクセスして見る方式の場合、WebコントローラＡ3A上の監視用のホームページにアクセスして表示する監視画面と、WebコントローラＢ3B上の監視用のホームページにアクセスして表示する監視画面とを、同一Web端末の同一画面上に同時に表示することは通常はできないので、例えば図２に示すように、Web端末ＡＢを複数台近接して並設する必要が生じる。
【００１３】
管理運用公共施設の監視対象がＡ，Ｂの２つだけであればともかく、現実には監視対象が５つ前後存在することもあり得る。その場合は、Web端末ＡＢも５つ前後並設することになり、各監視対象が同時に表示されているものの５つ前後並設されたWeb端末ＡＢ1A，1B，・・・1nの各画面を見る必要があり、見難い上、５つ前後ものWeb端末ＡＢが必要であれば、設備費が嵩む。
【００１４】
そこで、１台のWeb端末ＡＢの単一画面上に複数の監視対象の監視画面を同時に表示することができるように、例えば図３に示すように、WebコントローラＡ3AおよびWebコントローラＢ3Bにデータ送信機能323A，323Bを追加し、Web端末ＡＢ1Aにも通信機能111Aを追加して、WebコントローラＡ3AおよびWebコントローラＢ3Bの各記憶装置321A，321Bに格納されているデータを、Web端末ＡＢ1Aの記憶装置112Aに取り込み、当該記憶装置112Aに格納したデータをWeb端末ＡＢ1Aの監視画面11Aに表示するようにすることが考えられる。
【００１５】
ところが、元々、WebコントローラＡ3Aの記憶装置321Aには合併前の自治体Ａが、WebコントローラＢ3Bの記憶装置321Bには合併前の自治体Ｂが、それぞれ個別に準備した監視システム上でデータを格納しているため、WebコントローラＡ3AとWebコントローラＢ3Bとではデータ格納アドレスが同じものもあれば異なるものもあり、まちまちであるため、図３のシステムでは、格納アドレスが同じデータしかWeb端末ＡＢ1Aでは表示できない不都合が生じる。
【００１６】
なお、WebコントローラＡ3Aの記憶装置321Aに格納されたデータのデータテーブルは図４（Ａ）に、WebコントローラＢ3Bの記憶装置321Bに格納されたデータのデータテーブルは図４（Ｂ）に例示してあるように、例えば、監視対象要素種別P1，P2，V1，V2の各状態情報のデータ「ON」「OF」の各格納アドレスは、図４（Ａ）では３，４，５，６であるが、図４（Ｂ）では５，６，３，４であり、１台のWeb端末ＡＢ1Aの単一画面上に同時に監視対象要素種別P1，P2，V1，V2の各状態情報のデータ「ON」「OF」を表示することはできない。
【００１７】
この発明は、このような実情に鑑みてなされたもので、個別に監視し個別に管理運用していた公共施設が統合監視されるようになった場合でも、複数の公共施設の各状態情報を、１台のWeb端末に同時に表示することができるようにすることを目的とするものである。
【課題を解決するための手段】
【００１８】
この発明に係る遠隔監視システムは、管理運用管轄が異なっていた複数の公共施設の監視対象の状態情報をネットワークを介して共通のWeb端末の監視画面に表示する公共施設の遠隔監視システムであって、
対応監視対象の状態情報を収集して記憶する複数個のWebコンントローラと、
前記各監視対象における監視対象要素とそのアドレスとの対応関係と前記監視対象要素のアドレスと自己のアドレスとの対応関係とをアドレスマッピング情報テーブルとして変更可能に記憶し、前記ネットワークを介して前記複数個のWebコンントローラの各々に記憶された前記各監視対象における前記監視対象要素の状態情報を収集して前記アドレスマッピング情報テーブルにより自己の所定アドレス領域に記憶するWebサーバ装置と、
を備え、
前記Webコントローラは、IO機能と記憶装置とデータ送信機能とを有し、個別に管理運用していた前記公共施設に設置された前記監視対象からその監視対象要素の状態情報を前記IO機能で収集して前記記憶装置に記憶し、
前記Webサーバ装置は、データ収集機能と記憶装置とデータサーバ機能とを有し、前記データ収集機能により前記Webコントローラの各々から当該Webコントローラの前記データ送信機能を介して前記監視対象要素に関連する前記状態情報を収集して前記記憶装置に保存し、この記憶装置に保存してある前記各Webコントローラからの収集データを前記データサーバ機能により統合集約して複数の公共施設の各監視対象を共通の単一画面で統合監視するための画面および画面表示情報を前記Web端末に提供し、
前記Web端末は、通信機能と監視画面とを有し、その前記通信機能により前記ネットワークを介して前記Webサーバ装置にアクセスし、前記Webサーバ装置が提供する前記画面および画面表示情報を前記Webサーバ装置の前記データサーバ機能か得てその監視画面上に、複数の公共施設の各監視対象の統合監視に必要な情報を表示する
ものである。
【発明の効果】
【００１９】
この発明は、管理運用管轄が異なっていた複数の公共施設の監視対象の状態情報をネットワークを介して共通のWeb端末の監視画面に表示する公共施設の遠隔監視システムであって、
対応監視対象の状態情報を収集して記憶する複数個のWebコンントローラと、
前記各監視対象における監視対象要素とそのアドレスとの対応関係と前記監視対象要素のアドレスと自己のアドレスとの対応関係とをアドレスマッピング情報テーブルとして変更可能に記憶し、前記ネットワークを介して前記複数個のWebコンントローラの各々に記憶された前記各監視対象における前記監視対象要素の状態情報を収集して前記アドレスマッピング情報テーブルにより自己の所定アドレス領域に記憶するWebサーバ装置と、
を備え、
前記Webコントローラは、IO機能と記憶装置とデータ送信機能とを有し、個別に管理運用していた前記公共施設に設置された前記監視対象からその監視対象要素の状態情報を前記IO機能で収集して前記記憶装置に記憶し、
前記Webサーバ装置は、データ収集機能と記憶装置とデータサーバ機能とを有し、前記データ収集機能により前記Webコントローラの各々から当該Webコントローラの前記データ送信機能を介して前記監視対象要素に関連する前記状態情報を収集して前記記憶装置に保存し、この記憶装置に保存してある前記各Webコントローラからの収集データを前記データサーバ機能により統合集約して複数の公共施設の各監視対象を共通の単一画面で統合監視するための画面および画面表示情報を前記Web端末に提供し、
前記Web端末は、通信機能と監視画面とを有し、その前記通信機能により前記ネットワークを介して前記Webサーバ装置にアクセスし、前記Webサーバ装置が提供する前記画面および画面表示情報を前記Webサーバ装置の前記データサーバ機能か得てその監視画面上に、複数の公共施設の各監視対象の統合監視に必要な情報を表示するので、個別に監視し個別に管理運用していた公共施設が統合監視されるようになった場合でも、複数の公共施設の各状態情報を、１台のWeb端末に同時に表示することができる具体的なシステムを提供できる効果がある。
【発明を実施するための最良の形態】
【００２０】
実施の形態１．
以下この発明の実施の形態１を図５および図６により説明する。図５は複数の公共施設の統合監視を行う公共施設の遠隔監視システムのシステム構成の事例を示す図、図６は図５のサーバ装置内に保存される（ｘ）アドレスマッピング情報、（ｙ）監視対象要素固定情報、（ｚ）監視対象要素変動情報のデータテーブルの事例を示す図である。なお、図５および図６において前述の図１〜図４と同一または相当部分には図１〜図４と同一符合を付してある。
【００２１】
図５において、公共施設の遠隔監視システムは、Web端末ＡＢ1A，1B，・・・1nと、ネットワーク２と、WebコントローラＡ3Aと、公共施設の河川水位監視制御設備等の監視対象Ａ4Aと、WebコントローラＢ3Bと、公共施設の河川水位監視制御設備等の監視対象Ｂ4Bと、Webサーバ装置６とで構成されている。
【００２２】
前記WebコントローラＡ3Aは、合併する前の自治体Ａが個別に管理運用していた公共施設に設置された前記監視対象Ａ4Aから、その水位計、ポンプ、弁、雨量計、温度計等の設備等の監視対象要素P1，P2，V1，V2，・・・の状態情報（計測値や動作位置等）をそのIO機能322Aで収集してその記憶装置321Aに保存する。
【００２３】
前記WebコントローラＢ3Bは、合併する前の自治体Ｂが個別に管理運用していた公共施設に設置された前記監視対象Ｂ4Bから、その水位計、ポンプ、弁、雨量計、温度計等の設備等の監視対象要素P1，P2，V1，V2，・・・の状態情報（計測値や動作位置等）をそのIO機能322Bで収集してその記憶装置321Bに保存する。
【００２４】
前記Webサーバ装置６は、データ収集機能61と、記憶装置62と、データサーバ機能63とを有し、前記データ収集機能61により前記WebコントローラＡ3A，3Bからそのデータ送信機能323A，323Bを介して前記監視対象要素P1，P2，V1，V2，・・・に関連する後述の情報(x)(y)(z)（図６参照）を収集して前記記憶装置62に保存し、この記憶装置62に保存してある前記WebコントローラＡ3A，3Bからの収集データを前記データサーバ機能63により統合集約して複数の公共施設の各監視対象を共通の単一画面で統合監視するための画面および画面表示情報をWeb端末等に提供する。
【００２５】
前記Web端末ＡＢ1Aは、その通信機能111Aにより前記ネットワーク２を介して前記Webサーバ装置６にアクセスし、前記Webサーバ装置６が提供する前記画面および画面表示情報等を前記Webサーバ装置６の前記データサーバ機能63から得てその監視画面11A上に、複数の公共施設の各監視対象の統合監視に必要な情報を表示する。
【００２６】
前述のような構成および機能の図５に例示の公共施設の遠隔監視システムにおいて、前記Webサーバ装置６のデータ収集機能61が、前記各WebコントローラＡ3A，Ｂ3Bと通信を行い、所定の定周期で前記各公共施設の監視対象Ａ，Ｂ，・・・の状態情報等のデータを収集する。収集したデータは前記データサーバ機能63で統合し、一つの監視画面上に複数の公共施設の情報を同時に表示することができるようになる。従って、１台の前記Web端末ＡＢ1Aの監視画面11A上に、複数の公共施設の情報を同時に表示することができ、従って、自治体の合併等による複数の公共施設の統合監視を、図２で例示のような多数のWeb端末ＡＢを近接並設することなく行え、経済的であり、しかも複数の公共施設の情報を同時に共通画面上で見ることができるので、自治体の合併等による複数の公共施設の統合監視を、効率的に行うことができる。
【００２７】
前述のように、この発明の実施の形態１は、管理運用管轄が異なっていた複数の公共施設の監視対象4A，4Bの状態情報をネットワーク２を介して共通のWeb端末ＡＢ1Aの監視画面11Aに表示する公共施設の遠隔監視システムであって、対応監視対象4A，4Bの状態情報を収集して記憶する複数個のWebコンントローラ3A，3Bと、前記各監視対象における監視対象要素P1，P2，V1，V2，・・・とそのアドレスの対応関係をアドレスマッピング情報（ｘ）として変更可能に記憶し、前記ネットワーク２を介して前記複数個のWebコンントローラ3A，3Bの各々に記憶された前記各監視対象における前記監視対象要素の状態情報を収集して前記アドレスマッピング情報に応じて所定アドレス領域に記憶するWebサーバ装置６とを備え、前記Web端末ＡＢ1Aから前記Webサーバ装置６にアクセスして前記Web端末ＡＢ1Aの監視画面11Aに前記各監視対象4A，4Bにおける同じ前記監視対象要素P1，P2，V1，V2，・・・の状態情報等を表示する公共施設の遠隔監視システムである。
【００２８】
なお、前記Webサーバ装置６内に作成するデータテーブルは、図６に示すように、例えば、前記Webサーバ装置６において監視対象要素L1，L2，P1，P2，V1，V2，RV1，C1・・・の情報を格納するために割り当てたアドレス１，２，３，４，・・・ｎに、前記Webコンントローラ3A，3B・・・から収集した情報データが割り当て通りに格納されるように、同一監視対象要素についての各サーバ装置６、Webコンントローラ3A，3B・・・のアドレスの対応関係のアドレスマッピング情報テーブル（アドレス対応関係表示テーブル）である。このテーブルによれば、同一監視対象要素P1の情報を格納する場所として、例えば、サーバ装置６のアドレス３に対し、Webコンントローラ3Aのアドレス３が、またWebコンントローラ3Bのアドレス５が対応している。
【００２９】
このような対応関係をマッピングしたアドレスマッピング情報テーブルを作成しておけば、前記Webコンントローラ3A，3Bから情報を収集して保存する場合、前記Webコンントローラ3Aと前記Webコンントローラ3Bの同じ監視対象要素の情報は、同じ場所に、情報源情報（収集した情報の情報源を示す情報）と関連付けて保存できる。保存場所の修正が必要になったり、追加／削除する必要が生じた場合は、サーバ装置内のアドレスマッピング情報テーブルを修正、追加／削除すれば、複数個のWeb端末1A，1B，・・・1nのそれぞれにおける修正、追加／削除作業は必要でなく、監視対象要素の変更、追加、削除時のメンテナンスが容易に確実に行え、監視の信頼性も向上する。
【００３０】
なお、前述では自治体Ａ，Ｂが合併した場合の複数公共施設の統合監視について例示したが、自治体Ａ，Ｂが合併せずに相互に管理運用効率を上げるために複数公共施設の統合監視についても適用でき、その場合も前述と同じ効果を奏する。
【００３１】
この場合のシステム構成は、管理運用管轄が異なる複数の公共施設の監視対象4A，4Bの状態情報をネットワーク２を介して共通のWeb端末ＡＢ1Aの監視画面11Aに表示する公共施設の遠隔監視システムであって、対応監視対象4A，4Bの状態情報を収集して記憶する複数個のWebコンントローラ3A，3Bと、前記各監視対象における監視対象要素P1，P2，V1，V2，・・・とそのアドレスの対応関係をアドレスマッピング情報（ｘ）として変更可能に記憶し、前記ネットワーク２を介して前記複数個のWebコンントローラ3A，3Bの各々に記憶された前記各監視対象における前記監視対象要素の状態情報を収集して前記アドレスマッピング情報に応じて所定アドレス領域に記憶するWebサーバ装置６とを備え、前記Web端末ＡＢ1Aから前記Webサーバ装置６にアクセスして前記Web端末ＡＢ1Aの監視画面11Aに前記各監視対象4A，4Bにおける同じ前記監視対象要素P1，P2，V1，V2，・・・の状態情報等を表示する公共施設の遠隔監視システムとなる。
【００３２】
実施の形態２．
以下この発明の実施の形態２を、Webコントローラの概略構成の他の事例を示す図７によって説明する。なお、図７においては、前述の図１〜図６と同一または相当部分には同一符号を付し、本実施の形態の説明では、前述の図１〜図６と異なる点を主体に説明し、他の説明は割愛する。
【００３３】
前述のこの発明の実施の形態１ではWebコントローラ3Aに、Webサーバ31Aとは別にデータ送信機能323Aを設け、監視対象4Aのデータを提供することができることで施設側の構成を変更することなく集中監視を実現する場合について述べたが、発明の実施の形態２では、図７に示してあるように、リセット機能33Aを設け、遠隔地にあるWeb端末ＡＢ1Aからのリセット要求通知を受信したときにリセットできるようにすることで、Webコントローラが設置されている施設に行かなくてもWebコントローラの再起動が可能になるため、メンテナンスにかかる費用を低減することができる。
【００３４】
実施の形態３．
以下この発明の実施の形態３を、Webコントローラの概略構成の他の事例を示す図８によって説明する。なお、図８においては、前述の図１〜図７と同一または相当部分には同一符号を付し、本実施の形態の説明では、前述の図１〜図７と異なる点を主体に説明し、他の説明は割愛する。
【００３５】
前述のこの発明の実施の形態２ではリセット機能33Aにより遠隔地からWebコントローラＡ3aをリセットする場合について述べたが、図８に示すように、WebコントローラＡ3aにシステムの状態を定期的にチェックするウォッチドッグタイマー機能34Aを設け、WebコントローラＡ3aのハングアップなどのシステム異常を検出した場合に自動でリセットするようにすることで、システムの可用性を高めることができる。
【００３６】
実施の形態４． 
以下この発明の実施の形態４を、Webコントローラの概略構成の他の事例を示す図９によって説明する。なお、図９においては、前述の図１〜図８と同一または相当部分には同一符号を付し、本実施の形態の説明では、前述の図１〜図８と異なる点を主体に説明し、他の説明は割愛する。
【００３７】
前述のこの発明の実施の形態３ではウォッチドッグタイマー機能34Aによりシステムのハングアップ時に自動でリセットする場合について述べたが、図９に示すように、WebコントローラＡ3aにメール通報機能324Aを設け、ＩＯ機能322Aが監視対象設備4AやWebコントローラＡ3a自体の異常を検出した場合に、メールにより異常情報を発信することで、異常の発生を迅速に検出することができる。
【００３８】
実施の形態５．
以下この発明の実施の形態５を、Webコントローラの概略構成の他の事例を示す図１０によって説明する。なお、図１０においては、前述の図１〜図９と同一または相当部分には同一符号を付し、本実施の形態の説明では、前述の図１〜図９と異なる点を主体に説明し、他の説明は割愛する。
【００３９】
前述のこの発明の実施の形態４ではWebコントローラＡ3aにメール通報機能324Aを設け、監視対象設備4AやWebコントローラＡ3aの異常をメールで通知する場合について述べたが、図１０に示すように、WebコントローラＡ3aに認証機能325Aを設け、WebコントローラＡ3aに接続時に正当なユーザかどうかを確認するようにしたので、インターネットなどの不特定多数のユーザが利用するネットワークを利用することができ、比較的安価にシステムを構築することができるようになる。
【００４０】
実施の形態６．
以下この発明の実施の形態６を、Webコントローラの概略構成の他の事例を示す図１１によって説明する。なお、図１１においては、前述の図１〜図１０と同一または相当部分には同一符号を付し、本実施の形態の説明では、前述の図１〜図１０と異なる点を主体に説明し、他の説明は割愛する。
【００４１】
前述のこの発明の実施の形態６ではWebコントローラＡ3aに認証機能325Aを設け、接続時に正当なユーザかどうかを確認する場合について述べたが、WebコントローラＡ3aのエンジニアリング情報を記述した設定ファイル3211Aとネットワーク経由で前記設定ファイル3211Aを更新するファイル更新機能326Aを設けることで、遠隔地からWebコントローラＡ3aの設定を変更することができるため、WebコントローラＡ3aのメンテナンスが容易になる。
【００４２】
前述のこの発明の実施の形態２〜６ではWebコントローラＡ3aを対象に説明したが、WebコントローラＢ3Bについても前述のWebコントローラＡ3aの場合と同様の構成および機能とする。
【図面の簡単な説明】
【００４３】
【図１】この発明に至る前の公共施設の遠隔監視システムの想定図で、複数の自治体の各々が自己の管理運用管轄である公共施設の監視対象の状態情報をネットワークを介して各自治体のWeb端末の監視画面に表示する公共施設の遠隔監視システムの想定図である。
【図２】この発明に至る前の公共施設の遠隔監視システムの想定図で、複数の自治体が合併した場合の複数の各公共システムの統合監視システムの想定図である。
【図３】この発明に至る前の公共施設の遠隔監視システムの想定図で、複数の自治体が合併した場合の複数の各公共施設の統合監視システムの想定図であって、図１の監視システムの改良型想定図である。
【図４】図３における各公共施設における監視対象の各監視対象要素の状態情報データテーブルの想定事例を示す図で、その（Ａ）は自治体Ａの管理運用管轄である監視対象Ａの各監視対象要素の状態情報データテーブルの想定事例を示し、その（Ｂ）は自治体Ｂの管理運用管轄である監視対象Ｂの各監視対象要素の状態情報データテーブルの想定事例を示す。
【図５】この発明の実施の形態１を示す図で、複数の公共施設の統合監視を行う公共施設の遠隔監視システムのシステム構成の事例を示す図である。
【図６】この発明の実施の形態１を示す図で、図５のサーバ装置内に保存される（ｘ）アドレスマッピング情報、（ｙ）監視対象要素固定情報、（ｚ）監視対象要素変動情報のデータテーブルの事例を示す図である。
【図７】この発明の実施の形態２を示す図で、図５の遠隔監視システムにおけるWebコントローラの機能構成の他の事例を示す図である。
【図８】この発明の実施の形態３を示す図で、図５の遠隔監視システムにおけるWebコントローラの機能構成の更に他の事例を示す図である。
【図９】この発明の実施の形態４を示す図で、図５の遠隔監視システムにおけるWebコントローラの機能構成の更に他の事例を示す図である。
【図１０】この発明の実施の形態５を示す図で、図５の遠隔監視システムにおけるWebコントローラの機能構成の更に他の事例を示す図である。
【図１１】この発明の実施の形態６を示す図で、図５の遠隔監視システムにおけるWebコントローラの機能構成の更に他の事例を示す図である。
【符号の説明】
【００４４】
1A    Web端末、
２    ネットワーク、
3A，3B    Webコンントローラ、
4A，4B    公共施設の監視対象
６    Webサーバ装置、
ｘ    アドレスマッピング情報、
33A    リセット機能、
34A    ウォッチドッグタイマー機能、
324A    メール送信機能、
325A    認証機能、
3211A    設定ファイル、
326A    ファイル更新機能。
【図１】
0004530977.tif 000002
【図２】
0004530977.tif 000003
【図３】
0004530977.tif 000004
【図４】
0004530977.tif 000005
【図５】
0004530977.tif 000006
【図６】
0004530977.tif 000007
【図７】
0004530977.tif 000008
【図８】
0004530977.tif 000009
【図９】
0004530977.tif 000010
【図１０】
0004530977.tif 000011
【図１１】
0004530977.tif 000012